(57)【要約】【課題】  簡素な構造でありながらも、吊り戸の高さ調整に際して調整範囲の広い吊り戸用戸車の提供。【解決手段】  引き戸Ｄの上端部に設けられる吊り戸用戸車において、走行レールＲ上を移動するランナ１と、前記ランナ１を支持する吊り金具２と、引き戸Ｄに固定され前記吊り金具２を揺動可能に軸支する取付金具３を備え、前記吊り金具２は、上に凸となる屈曲形状を成し、前記取付金具３は、前記吊り金具２の揺動エリアにおける当該吊り金具２の支点からずれた位置に向けて進退し前記吊り金具の背面を加圧する高さ調整ネジ５を備えることを特徴とする吊り戸用戸車とその取付構造。【選択図】      図１
2014040758.tif 000002
【特許請求の範囲】
【請求項１】
引き戸の上端部に設けられる吊り戸用戸車において、
走行レール上を移動するランナと、前記ランナを支持する吊り金具と、引き戸に固定され前記吊り金具を揺動可能に軸支する取付金具を備え、
前記吊り金具は、上に凸となる屈曲形状を成し、
前記取付金具は、前記吊り金具の揺動エリアにおける当該吊り金具の支点からずれた位置に向けて進退し前記吊り金具の背面を加圧する高さ調整ネジを備えることを特徴とする吊り戸用戸車。
【請求項２】
前記取付金具は、前記吊り金具を当該吊り金具の揺動軸に沿って移動可能に支持し、前記吊り金具の支点に向けて進退する移動規制ネジを備えることを特徴とする前記請求項１に記載の吊り戸用戸車。
【請求項３】
前記吊り金具の支持部は、揺動軸を中心とする円弧状の支持縁を備えることを特徴とする前記請求項２に記載の吊り戸用戸車。
【請求項４】
前記請求項１乃至請求項３のいずれかに記載の吊り戸用戸車と引き戸との連結構造であって、
前記吊り戸用戸車の取付金具と、前記引き戸に固定され前記取付金具を定位置に確保するアンカー部材とからなり、
前記取付金具は、その前方上縁部に手掛り部を備え、
前記アンカー部材は、その前方上縁部に前記手掛り部に係るフックを備えると共に、前記手掛り部にフックが掛った際に当該取付金具の前面が当接する支持部を備えることを特徴とする吊り戸用戸車の取付構造。
【発明の詳細な説明】
【技術分野】
【０００１】
本発明は、吊り戸用戸車に関し、特に、吊り戸の高さ調整に関する。
【背景技術】
【０００２】
従来、吊り戸においては、吊られる障子等の高さ調整が重要となる。そのため、吊り戸用戸車として種々の高さ調整機構を具備したものが紹介されている。
例えば、ボルトを戸車と障子との連結軸とし、ネジ待遇により相互の間隔を調整するもの（例えば、下記特許文献１参照。）や、複雑に歯車やネジを組み合わせたもの（例えば、下記特許文献２参照。）や、大きな径の吊り穴を偏心した円盤で支持し回転位相を調整することで支持高を調整するもの（例えば、下記特許文献３参照。）や、支持高を決める連結軸の有効長をその支持点を昇降させることによって調整するもの（例えば、下記特許文献４参照。）が紹介されている。
【先行技術文献】
【特許文献】
【０００３】
【特許文献１】実開平０６−０５８０８５号公報
【特許文献２】特開２００１−２８８９５１号公報
【特許文献３】特開平０９−０４９３６３号公報
【特許文献４】特開２００３−００３７２６号公報
【発明の概要】
【発明が解決しようとする課題】
【０００４】
しかしながら、前記特許文献１に記載の手法にあっては、ボルトとナットを操作して吊り戸の高さを微調整することは、極めて煩雑で困難な作業である。その対策として種々案出された前記特許文献２乃至特許文献４に記載の手法にあっては、その構造が極めて複雑となるという問題がある。また、その様な手法のいずれにあっても、吊り戸の高さ調整のストロークが比較的短く、その調整範囲が狭いという問題もあった。
【０００５】
本発明は上記実情に鑑みて成されたものであって、吊り戸用戸車において、簡素な構造でありながらも、吊り戸の高さ調整に際して調整範囲の広い吊り戸用戸車及びその取付構造の提供を目的とする。
【課題を解決するための手段】
【０００６】
上記課題を解決する為になされた本発明による吊り戸用戸車は、引き戸の上端部に設けられる吊り戸用戸車において、走行レール上を移動するランナと、前記ランナを支持する吊り金具と、引き戸に固定され前記吊り金具を揺動可能に軸支する取付金具を備え、前記吊り金具は、上に凸となる屈曲形状を成し、前記取付金具は、前記吊り金具の揺動エリアにおける当該吊り金具の支点からずれた位置に向けて進退し前記吊り金具の背面を加圧する高さ調整ネジを備えることを特徴とする。
【０００７】
前記ランナの走行位置を揺動軸方向へ調整すべく、前記取付金具を、前記吊り金具が当該吊り金具の揺動軸に沿って移動可能となる様に支持し、調整完了後においてその移動を規制すべく、高さ調整の支障とならない前記吊り金具の支点に向けて進退する移動規制ネジを備える吊り戸用戸車として構成してもよい。
その際、移動規制ネジの頭部が、吊り金具の支持縁に対して垂直に当接する様に、前記吊り金具の支持部は、揺動軸を中心とする円弧状の支持縁を備えるものであることが望ましい。
【０００８】
上記課題を解決する為になされた本発明による吊り戸用戸車の取付構造は、前記いずれかに記載の吊り戸用戸車と引き戸との連結構造であって、前記吊り戸用戸車の取付金具と、前記引き戸に固定され前記取付金具を定位置に確保するアンカー部材とからなり、前記取付金具は、その前方上縁部に手掛り部を備え、前記アンカー部材は、その前方上縁部に前記手掛り部に係るフックを備えると共に、前記手掛り部にフックが掛った際に当該取付金具の前面が当接する支持部を備えることを特徴とする。
【発明の効果】
【０００９】
本発明による吊り戸用戸車によれば、てこの原理により、高さ調整がなされるランナに対しては、微小な高さ調整ネジの動きによって大きな調整範囲Ｌを与えることができ、高さ調整ネジに対しては、吊り戸の自重によって比較的大きな荷重がかかることによって、調整状態の経年変化を防止することができる。
【００１０】
また、軸方向へ自由に位置調整できる構成とすれば、ランナを走行レール上で的確に走行させることができ、前記吊り金具の支持部に、揺動軸を中心とする円弧状の支持縁を備える構造を与えれば、揺動軸の中心を向く移動規制ネジによって、揺動調整に支障を与えることなく確実に位置固定を行うことができる。
【００１１】
而して、本発明は、吊り戸用戸車として、簡素な構造でありながらも、吊り戸の高さ調整に際して調整範囲が広く調整状態が安定した吊り戸の提供に寄与する。
また、本発明による吊り戸用戸車の取付構造によれば、簡素な構造でありながらも、吊り戸の高さ調整に際して調整範囲の広い吊り戸用戸車を備えた吊り戸に関する施工、調整、保守及びその管理に関する便宜が、従来に比べて格段に向上することとなる。
【図面の簡単な説明】
【００１２】
【図１】本発明による吊り戸用戸車の一例を示す（Ａ）：側面図、（Ｂ）：平面図、（Ｃ）：正面図、及び（Ｄ）：背面図である。
【図２】本発明による吊り戸用戸車の一例を示す実施態様図である。
【図３】本発明による吊り戸用戸車の支持高調整機能の一例を示す側面図である。
【図４】本発明による吊り戸用戸車の支持高、支持位置、及び傾き調整機能の一例を示す背面図である。
【図５】本発明による吊り戸用戸車の支持位置調整機能の能力の一例を示す後側から見た断面図である。
【図６】本発明による吊り戸用戸車及びその一例を示す（Ａ）：平面図、（Ｂ）：側面図、及び（Ｃ）：吊り金具部平面図である。
【図７】本発明による吊り戸用戸車及びその一例を示す（Ａ）：平面図、（Ｂ）：側面図、及び（Ｃ）：吊り金具部平面図である。
【発明を実施するための形態】
【００１３】
以下、本発明による吊り戸用戸車の実施の形態を、引き戸Ｄを吊るための戸車として具体化した例として図面に基づき詳細に説明する。
図１及び図２は、引き戸Ｄの上端部に設けられる吊り戸用戸車の例である。
この例は、走行レールＲ上を移動するランナ１と、前記ランナ１を支持する吊り金具２と、引き戸Ｄに固定され前記吊り金具２を揺動可能に軸支する取付金具３を備えている。
【００１４】
前記吊り金具２は、引き戸Ｄを所定の戸車で支持するに足る強度のステンレス板（戸車として実用的な耐食性を持ち、且つ所定の強度を持った他の素材からなる板でも良い。）を、上に凸となる屈曲形状、例えば、くの字状に裁断したものであって（図１（Ａ）、図２、及び図３参照）、前記吊り金具２の先端部は、前記ランナ１を、回転自在に片持ちで支持する。
【００１５】
前記吊り金具は、必要に応じて先端部と末端部との間に段差が出来る様に曲げ成形を施しても良い（図示省略）。
その際、前記吊り金具２の先端部と末端部（支持部２ａ）との位置関係は、当該吊り金具２が前記取付金具３の全幅における中央に支持された場合において、前記ランナ１が、当該吊り金具２を支持する前記取付金具３の横幅に収まる様に、前記先端部よりも、前記ランナ１を支持した側へシフト（平行移動）した位置関係となる様にすることもできる。
【００１６】
前記取付金具３は、引き戸Ｄの厚さに収まる厚みと、且つ当該引き戸Ｄの幅方向への揺動を許容する支持室４が形成出来る幅と、前記高さ調整ネジ５を進退させるためのネジ孔６、及び取付ネジ９を締めるべく工具１０を通過させるための窓孔１１を、縦に並べて配置できるだけの高さを備える（図１（Ａ）（Ｄ）参照）。
【００１７】
当該例における当該取付金具３は、横断面が略一様な方形状を呈する上下に貫通した支持室４を有する。当該支持室４の厚みは、前記吊り金具を一定の位置において揺動自在とする厚みでも良いし（図示省略）、前記吊り金具２を希望の位置に移動し且つその位置に固定した状態で揺動自在とすることができる余幅を備えた厚みでもよい（図１（Ｂ）（Ｃ）（Ｄ）参照）が、後者を採用する場合には、前記吊り金具２の支持部２ａの揺動軸１３における位置を固定すべく、前記取付金具３の高さに加えて、移動規制ネジ７を進退させるためのネジ孔８を設け得るだけの高さを確保する必要がある。
【００１８】
前記支持室４の厚み方向に位置する左右側壁３ａの中央に吊り金具２の支持部２ａを揺動自在に支持する揺動軸１３を渡して固定し、前記吊り金具２を、当該取付金具３の上位において、くの字状の凸部を上にして揺動可能とする。
前記支持室４の幅方向に位置する前壁（引き戸Ｄの内側に面した壁）３ｂは、当該取付金具３を引き戸Ｄに固定する為の取付ネジ９を通す孔１２を備える。
一方、前記支持室４の幅方向に位置する後壁（引き戸Ｄの外側に面した壁）３ｃは、前記高さ調整ネジ５を進退させるためのネジ孔６を、前記吊り金具２の背面の揺動軸１３より上位に向けて設ける。
【００１９】
前記ランナ１の軸１４が、前記揺動軸１３よりも前記高さ調整ネジ５の進み方向にある限り、吊られた引き戸Ｄの自重がランナ１に加わることによって、当該吊り金具２の背面が常に前記高さ調整ネジ５の頭部に押し当てられることとなり、前記高さ調整ネジ５を進めれば進めるほど、当該戸車に吊られた引き戸Ｄが引き上げられることとなる（図２及び図３参照）。その際、てこの原理により、前記ランナ１の位置が支点から遠いほど、前記高さ調整ネジ５一回転あたりの高さ調整量が大きくなる。尚、図２に示す例では、前記高さ調整ネジ５の進み量の約４倍から５倍の調整量が得られている。
【００２０】
前記取付金具３に、前記吊り金具２を、当該吊り金具２の揺動軸１３にそって移動可能に支持する場合には、更に、前記支持室４の厚みを、当該吊り金具２の厚みよりも必要な調整量分だけ厚く設定し、当該支持室４の前記後壁３ｃに、前記移動規制ネジ７を進退させるためのネジ孔８を、前記吊り金具２の揺動軸１３の中心に向けて設ける（図１（Ａ）及び図２参照）。
【００２１】
前記高さ調整ネジ５及びそのネジ孔６、並びに前記移動規制ネジ７の太さ及びそのネジ孔８の径前記移動規制ネジ７の太さ及びそのネジ孔８の径は、前記吊り金具２が揺動軸１３のどの部分に支持されていたとしても、前記移動規制ネジ７が前記吊り金具２の背面及び支持縁を加圧できるように、前記支持室４の厚みのほぼ全体を占める太さ及び径に設定することが望ましい。
【００２２】
前記吊り金具２を、前記揺動軸１３上の所望の位置に移動させたうえで前記移動規制ネジ７を進め、当該移動規制ネジ７の頭部で当該吊り金具２の支持部２ａを加圧することによって、決められた位置に吊り金具２の支持部２ａが固定されることとなる（図５参照）。
前記吊り金具２の支持部２ａに、前記揺動軸１３を中心とする円弧状の支持縁を備えれば、前記移動規制ネジ７による加圧が、引き戸Ｄの高さ調整に影響することも回避できる。
【００２３】
本発明による吊り戸用戸車は、例えば以上の如く構成され、例えば、引き戸Ｄの上縁部の幅方向両端部に、略対照的に固定して用いる（図３参照）。
その際、当該引き戸Ｄの上縁部の両端部に、当該引き戸Ｄの移動方向（幅方向）の各端面に前記取付金具３の後壁３ｃがのぞく様に、当該取付金具３の全体を埋設して位置決めし、その前壁３ｂに設けた孔１２に取付ネジ９を通し、後壁３ｃに設けた窓孔１１を通して工具１０を侵入させて前記取付ネジ９の締め付けを行うことで各取付金具３を引き戸Ｄに固着する。
【００２４】
上記の如く引き戸Ｄに装着した吊り戸用戸車を、躯体の間口上部に設定した走行レールＲに搭載し、引き戸Ｄの高さ及び傾き調整を前記高さ調整ネジ５で適宜施した後、引き戸Ｄ相互のクリアランスの調整、及び引き戸Ｄと走行レールＲ及び他の引き戸Ｄとの平行を確保し得る位置を決め、移動規制ネジ７を締めて固定する（図４参照）。
上記手法は、調整の仕方の一例を示したものであって、手順は、現場の状況や好みに応じて適宜変更可能である。
【００２５】
吊り戸用戸車の取付構造としては、種々の構造を採用し得るが、引き戸Ｄに対する吊り戸用戸車の取付、前記走行レールＲへの引き戸Ｄ及び戸車の取付、及びその施工前後における調整や保守の便宜となる取付構造の例としては、前記吊り戸用戸車の取付金具２０と、前記引き戸Ｄに固定され前記取付金具２０を定位置に確保するアンカー部材２１とを組み合わせた連結構造を採用することもできる。
【００２６】
この様な構造を採用する場合には、前記前壁３ａについては、前記アンカー部材２１にその機能を担わせることができることから必須の構造とはならないが、アンカー部材２１と組み合わせない例（以下、単独固定の例と記す。）とは異なって、当該アンカー部材２１との連結を確保する必要があることから、その前方上縁部に前記アンカー部材２１との関係で連結手段を備える必要がある。
【００２７】
具体的には、当該例における吊り戸用戸車の取付金具２０は、一枚の金属板をコの字状に曲げ成形したものであって、左右側壁２０ａ，２０ｂとそれらを連結する後壁２０ｃを備えると共に、その間に、横断面が略一様で且つ上下に貫通した支持室２２を備える。前記左右側壁２０ａ，２０ｂの前方には、その上縁から下方へ対照的に延びる切欠き溝２３を手掛り部として備え、当該取付金具２０の前方下部の端縁を突っ張り縁２０ｄとして備える。
【００２８】
尚、当該支持室２２に求められる厚みについては、吊り金具２４が揺動位置が固定されている場合にあっても揺動位置を変え得る場合にあっても、前記単独固定の例についての説明と同様であるが（図７（Ａ）（Ｂ）参照）、吊り金具２４の揺動軸２５を支持する軸受け部２０ｅとなる範囲について厚みを絞っても良い（図６（Ａ）（Ｂ）参照）。
【００２９】
前記吊り金具２４及びその揺動軸の構造、配置、及び支持態様は、基本的には前記単独固定の例についての説明と同様であるが、揺動軸２５の他の態様として、図６（Ｃ）の如く、揺動軸２５の断面形状が吊り金具２４の表裏面のいずれかから突出して残る様に打ち抜くことによって、一体的な揺動軸２５を成形することができる。
【００３０】
当該例における前記アンカー部材２１は、前記取付金具２０の厚みと略等しい幅に裁断した金属板をＬ字状に曲げ成形してなる前壁２１ａと底壁２１ｂを備え、前壁２１ａの上部を底壁２１ｂが突出する側へ巻き込む形で屈曲成形してなるフック２６を備える。また、当該前壁２１ａは、当該アンカー部材２１を引き戸Ｄに固定する為の取付ネジ３０を通す孔２１ｃを備える。
前記フック２６は、その先端に前記切欠き溝２３にはまる爪２６ａを備え、前記前壁２１ａの裏面は、前記手掛り部たる切欠き溝２３にフック２６が掛った際に、当該取付金具２０の突っ張り縁２６ｄが当接する支持面（部）となる。
【００３１】
以上の如く構成された取付金具２０とアンカー部材２１を用い、例えば、引き戸Ｄの上縁部の幅方向両端部に、略対照的に固定して用いるとする（図３参照）。
その際、当該引き戸Ｄの上縁部の両端部に、当該引き戸Ｄの移動方向（幅方向）の各端面に前記取付金具２０の後壁２０ｃがのぞく様に取付金具２０を支持すべく、当該取付金具２０を確保する前記アンカー部材２１の全体を埋設して位置決めし、その前壁２１ａに設けた孔２１ｃに取付ネジ３０を通し、ネジ締めを行って前記アンカー部材２１と引き戸Ｄを一体化する。
【００３２】
この様に、引き戸Ｄにアンカー部材２１を固定する構造を採用すれば、引き戸Ｄに固定された各アンカー部材２１の爪を、各アンカー部材２１で確保すべき取付金具２０の切欠き溝２３に掛けるだけで、前記吊り戸用戸車と、前記アンカー部材２１及び引き戸Ｄとが一体化できる。
【００３３】
即ち、当該吊り戸用戸車を、躯体の間口上部に設定した走行レールＲに搭載すれば、引き戸Ｄの自重により揺動軸２５をランナー２７の真下へ誘導する力が加わり、前記アンカー部材２１の爪２６ａが掛った切欠き溝２３を始点として取付金具２０の突っ張り縁２０ｄによる加圧が、各アンカー部材２１の前壁２１ａの支持面に加わる。かかる作用により、当該吊り戸用戸車は、前記引き戸Ｄに固定され、且つその取付金具２０は、前記アンカー部材２１における前方上位の定位置に確保されることとなる。
【００３４】
この様な吊り戸用戸車の取付構造により、前記単独固定の例と同様に、引き戸Ｄの高さ及び上下方向の傾き調整を前記高さ調整ネジ２８で適宜施した後、引き戸Ｄ相互のクリアランスの調整、及び引き戸Ｄと走行レールＲ及び他の引き戸Ｄとの平行を確保し得る位置を決め、移動規制ネジ２９を締めて固定することが出来る他（図４参照）、吊り戸用戸車の保守点検も、工具等を何等必要とせず比較的容易に行うことができる。
【符号の説明】
【００３５】
Ｄ  引き戸，Ｒ  レール，Ｌ  調整範囲，
１  ランナ，
２  吊り金具，２ａ  支持部，
３  取付金具，３ａ  側壁，３ｂ  前壁，３ｃ  後壁，
４  支持室，
５  高さ調整ネジ，６  ネジ孔（高さ調整ネジ），
７  移動規制ネジ，８  ネジ孔（移動規制ネジ），
９  取付ネジ，１０  工具，１１  窓孔，１２  孔（取付ネジ），
１３  揺動軸，１４  軸（ランナ），
２０  取付金具，２０ａ  側壁（左），２０ｂ  側壁（右），２０ｃ  後壁，
２０ｄ  突っ張り縁，２０ｅ  軸受部，
２１  アンカー部材，２１ａ  前壁，２１ｂ  底壁，２１ｃ  孔，
２２  支持室，２３  切欠き溝，２４  吊り金具，２５  揺動軸，
２６  フック，２６ａ  爪，
２７  ランナー，２８  高さ調整ネジ，２９  移動規制ネジ，３０  取付ネジ，
【図１】
2014040758.tif 000003
【図２】
2014040758.tif 000004
【図３】
2014040758.tif 000005
【図４】
2014040758.tif 000006
【図５】
2014040758.tif 000007
【図６】
2014040758.tif 000008
【図７】
2014040758.tif 000009